(57)【要約】【課題】本発明は射撃訓練用の眼鏡を開示した。【解決手段】前後対称のテンプルを含み、前記テンプルの左端にはリムが設置され、前記リムの間にはブリッジが固定的に連結され、前記リムの中には左右に連通している空きチャンバが設置され、前記空きチャンバの中にはレンズが設置され、前端の前記空きチャンバの左側には遮光装置が設置され、後端の前記空きチャンバの左側には照準装置が設置され、本発明は弾丸を装填する時と射撃する時の異なるレンズ面の作動モードにより、射撃する前の照準動作を補助する。【選択図】図１
2020176819.tif 000002
【特許請求の範囲】
【請求項１】
正面視で、前後対称のテンプルを含み、前記テンプルの左端にはリムが設置され、前記リムの間にはブリッジが固定的に連結され、前記リムの中には左右に連通している空きチャンバが設置され、前記空きチャンバの中にはレンズが設置され、前端の前記空きチャンバの左側には遮光装置が設置され、後端の前記空きチャンバの左側には照準装置が設置され、前記リムの中には伝動チャンバが設置され、前記伝動チャンバのうち対称中心に近接している側の内壁には伝動軸が回転できるように連結され、前記伝動軸には補助リールが設置され、前記テンプルの中には開口が対称中心から離れている凹溝が設置され、前記凹溝と前記伝動チャンバとの間には糸孔が連通するように連結され、前記凹溝の内壁の中には上下対称の抜き孔が連通するように連結され、前記凹溝のうち対称中心に近接している側の内壁には固定軸が回転できるように連結され、前記固定軸には主リールが設置され、前記主リールと前記補助リールとの間にはワイヤロープが連結され、前記固定軸には遮音装置がスプラインにより連結され、前記テンプルの右端には脱落防止装置が設置され、前記脱落防止装置を耳にかけ、弾丸を装填し終わった後、前記遮音装置を前記凹溝の中から引き出して更に半周回転させて耳を塞ぎ、この時、前記固定軸により前記主リールを回転させ、また前記ワイヤロープにより前記補助リールを引き動かし、前記伝動軸を回転させ、前記遮光装置と前記照準装置とを制御して作動させることを特徴とする射撃訓練用の眼鏡。
【請求項２】
前記遮光装置は後側の前記空きチャンバの下端に連通するように設置された制限溝を含み、前記伝動軸には前記制限溝の中に位置している前後対称の磁板がネジ山により連結され、後側の前記空きチャンバの中には前後対称の隠し溝が連通するように設置され、前記隠し溝の中には回転軸が回転できるように連結され、前記回転軸には弾性を持つ収納輪が設置され、前記収納輪と前記磁板との間には遮光布が連結され、後側の前記伝動軸が回転して前記磁板を対称中心側へ移動させ、また前記遮光布を利用して後側の前記空きチャンバを閉じることを特徴とする請求項１に記載の射撃訓練用の眼鏡。
【請求項３】
前記照準装置は、前側の前記空きチャンバの下端に設置され、且つ前記伝動軸が回転するところを提供するスライドチャンバを含み、前記スライドチャンバの頂端内壁にはスライドロッドがスライドできるように連結され、前記スライドロッドの下端には副推しブロックが設置され、前記スライドロッドの上端には前記空きチャンバの中に位置している下引き合わせリングが設置され、前記空きチャンバのうち対称中心に近接している側の内壁には駆動チャンバが設置され、前記伝動軸には前記副推しブロックと当接する主推しブロックがネジ山により連結され、前記伝動軸には前記駆動チャンバの中に位置している主ベベルギヤが設置され、前記駆動チャンバの後側内壁には前後に連通している第一スライドレールが設置され、前記第一スライドレールの中には昇降ロッドがスライドできるように連結され、前記昇降ロッドには前記空きチャンバの中に位置している上引き合わせリングが設置され、前記駆動チャンバの中には前記昇降ロッドとネジ山により連結されたネジロッドが回転できるように連結され、前記ネジロッドの下端には前記主ベベルギヤと噛み合っている副ベベルギヤが設置され、前記主推しブロックが前記下引き合わせリングを推し動かして上方へ移動させることにより、前記昇降ロッドが下方へ移動し、これにより前記下引き合わせリングと前記上引き合わせリングとを合わせて照準リングを形成することを特徴とする請求項１に記載の射撃訓練用の眼鏡。
【請求項４】
前記遮音装置は前記固定軸とスプラインにより連結された連結板を含み、前記連結板のうち対称中心に近接している側には収縮溝が設置され、前記収縮溝の右端内壁の中には引きロッドがスライドできるように設置され、前記引きロッドには耳栓が設置され、前記凹溝のうち対称中心に近接している側の内壁には弧状溝が設置され、前記弧状溝の中にはスライダがスライドできるように連結され、前記スライダと前記連結板との間には抵抗バネが連結され、前記連結板を回転させることにより、前記照準装置と前記遮光装置とが作動し、同時に前記耳栓を利用して遮音することを特徴とする請求項１に記載の射撃訓練用の眼鏡。
【請求項５】
前記脱落防止装置は、前記テンプルの右側に設置され、且つ左右対称の第二スライドレールを含み、前記第二スライドレールの中には上下対称の伸縮板がスライドできるように連結され、前記伸縮板の間には引っ張りバネが連結され、上下端の前記伸縮板の間にはそれぞれチェーンがヒンジにより連結され、前記チェーンの高い自由度の回転と前記伸縮板の間の弾性伸縮により、眼鏡を固定できることを特徴とする請求項１に記載の射撃訓練用の眼鏡。
【発明の詳細な説明】
【技術分野】
【０００１】
本発明は眼鏡技術分野を取り上げて、具体的には射撃訓練用の眼鏡である。
【背景技術】
【０００２】
従来の射撃眼鏡は一つのレンズが光を透過でき、一つのレンズが光を透過できなく、装填する時に不便であり、しかも照準を合わせる時にメガネだけにより判断すれば、人為的な誤差が存在しており、そのため、装填の準備段階ではレンズが二つとも光を透過でき、射撃する時に自動的に変化するメガネが必要となる。
【先行技術文献】
【特許文献】
【０００３】
【特許文献１】中国特許出願公開第１０７７９７３００号明細書
【発明の概要】
【発明が解決しようとする課題】
【０００４】
本発明は射撃訓練用の眼鏡を提供し、従来技術における上記欠点を解消することを目的とする。
【課題を解決するための手段】
【０００５】
本発明の射撃訓練用の眼鏡は、前後対称のテンプルを含み、前記テンプルの左端にはリムが設置され、前記リムの間にはブリッジが固定的に連結され、前記リムの中には左右に連通している空きチャンバが設置され、前記空きチャンバの中にはレンズが設置され、前端の前記空きチャンバの左側には遮光装置が設置され、後端の前記空きチャンバの左側には照準装置が設置され、前記リムの中には伝動チャンバが設置され、前記伝動チャンバのうち対称中心に近接している側の内壁には伝動軸が回転できるように連結され、前記伝動軸には補助リールが設置され、前記テンプルの中には開口が対称中心から離れている凹溝が設置され、前記凹溝と前記伝動チャンバとの間には糸孔が連通するように連結され、前記凹溝の内壁の中には上下対称の抜き孔が連通するように連結され、前記凹溝のうち対称中心に近接している側の内壁には固定軸が回転できるように連結され、前記固定軸には主リールが設置され、前記主リールと前記補助リールとの間にはワイヤロープが連結され、前記固定軸には遮音装置がスプラインにより連結され、前記テンプルの右端には脱落防止装置が設置され、前記脱落防止装置を耳にかけ、弾丸を装填し終わった後、前記遮音装置を前記凹溝の中から引き出して更に半周回転させて耳を塞ぎ、この時、前記固定軸により前記主リールを回転させ、また前記ワイヤロープにより前記補助リールを引き動かし、前記伝動軸を回転させ、前記遮光装置と前記照準装置とを制御して作動させる。
【０００６】
好ましくは、前記遮光装置は後側の前記空きチャンバの下端に連通するように設置された制限溝を含み、前記伝動軸には前記制限溝の中に位置している前後対称の磁板がネジ山により連結され、後側の前記空きチャンバの中には前後対称の隠し溝が連通するように設置され、前記隠し溝の中には回転軸が回転できるように連結され、前記回転軸には弾性を持つ収納輪が設置され、前記収納輪と前記磁板との間には遮光布が連結され、後側の前記伝動軸が回転して前記磁板を対称中心側へ移動させ、また前記遮光布を利用して後側の前記空きチャンバを閉じる。
【０００７】
好ましくは、前記照準装置は、前側の前記空きチャンバの下端に設置され、且つ前記伝動軸が回転するところを提供するスライドチャンバを含み、前記スライドチャンバの頂端内壁にはスライドロッドがスライドできるように連結され、前記スライドロッドの下端には副推しブロックが設置され、前記スライドロッドの上端には前記空きチャンバの中に位置している下引き合わせリングが設置され、前記空きチャンバのうち対称中心に近接している側の内壁には駆動チャンバが設置され、前記伝動軸には前記副推しブロックと当接する主推しブロックがネジ山により連結され、前記伝動軸には前記駆動チャンバの中に位置している主ベベルギヤが設置され、前記駆動チャンバの後側内壁には前後に連通している第一スライドレールが設置され、前記第一スライドレールの中には昇降ロッドがスライドできるように連結され、前記昇降ロッドには前記空きチャンバの中に位置している上引き合わせリングが設置され、前記駆動チャンバの中には前記昇降ロッドとネジ山により連結されたネジロッドが回転できるように連結され、前記ネジロッドの下端には前記主ベベルギヤと噛み合っている副ベベルギヤが設置され、前記主推しブロックが前記下引き合わせリングを推し動かして上方へ移動させることにより、前記昇降ロッドが下方へ移動し、これにより前記下引き合わせリングと前記上引き合わせリングとを合わせて照準リングを形成する。
【０００８】
好ましくは、前記遮音装置は前記固定軸とスプラインにより連結された連結板を含み、前記連結板のうち対称中心に近接している側には収縮溝が設置され、前記収縮溝の右端内壁の中には引きロッドがスライドできるように設置され、前記引きロッドには耳栓が設置され、前記凹溝のうち対称中心に近接している側の内壁には弧状溝が設置され、前記弧状溝の中にはスライダがスライドできるように連結され、前記スライダと前記連結板との間には抵抗バネが連結され、前記連結板を回転させることにより、前記照準装置と前記遮光装置とが作動し、同時に前記耳栓を利用して遮音する。
【０００９】
好ましくは、前記脱落防止装置は、前記テンプルの右側に設置され、且つ左右対称の第二スライドレールを含み、前記第二スライドレールの中には上下対称の伸縮板がスライドできるように連結され、前記伸縮板の間には引っ張りバネが連結され、上下端の前記伸縮板の間にはそれぞれチェーンがヒンジにより連結され、前記チェーンの高い自由度の回転と前記伸縮板の間の弾性伸縮により、眼鏡を固定できる。
【発明の効果】
【００１０】
本発明の有益効果は：本発明は固定により、射撃する時に反動が眼鏡を落とすことを防止し、同時に、弾丸を装填する時と照準を合わせる時の異なるレンズ面の変化は照準動作に便利であり、操作が便利である。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の射撃訓練用の眼鏡の全体構成模式図
【図２】図２は図１の「Ａ−Ａ」の構成模式図
【図３】図３は図１の「Ｂ−Ｂ」の構成模式図
【図４】図４は図３の作動状態の時の構成模式図
【発明を実施するための形態】
【００１３】
本発明の射撃訓練用の眼鏡は、前後対称のテンプル１１を含み、前記テンプル１１の左端にはリム２３が設置され、前記リム２３の間にはブリッジ３３が固定的に連結され、前記リム２３の中には左右に連通している空きチャンバ２４が設置され、前記空きチャンバ２４の中にはレンズ２２が設置され、前端の前記空きチャンバ２４の左側には遮光装置９０１が設置され、後端の前記空きチャンバ２４の左側には照準装置９０２が設置され、前記リム２３の中には伝動チャンバ２８が設置され、前記伝動チャンバ２８のうち対称中心に近接している側の内壁には伝動軸２７が回転できるように連結され、前記伝動軸２７には補助リール２６が設置され、前記テンプル１１の中には開口が対称中心から離れている凹溝１２が設置され、前記凹溝１２と前記伝動チャンバ２８との間には糸孔２５が連通するように連結され、前記凹溝１２の内壁の中には上下対称の抜き孔１３が連通するように連結され、前記凹溝１２のうち対称中心に近接している側の内壁には固定軸１６が回転できるように連結され、前記固定軸１６には主リール１５が設置され、前記主リール１５と前記補助リール２６との間にはワイヤロープ２１が連結され、前記固定軸１６には遮音装置９０３がスプラインにより連結され、前記テンプル１１の右端には脱落防止装置９０４が設置され、前記脱落防止装置９０４を耳にかけ、弾丸を装填し終わった後、前記遮音装置９０３を前記凹溝１２の中から引き出して更に半周回転させて耳を塞ぎ、この時、前記固定軸１６により前記主リール１５を回転させ、また前記ワイヤロープ２１により前記補助リール２６を引き動かし、前記伝動軸２７を回転させ、前記遮光装置９０１と前記照準装置９０２とを制御して作動させる。
【００１４】
有益的には、前記遮光装置９０１は後側の前記空きチャンバ２４の下端に連通するように設置された制限溝５３を含み、前記伝動軸２７には前記制限溝５３の中に位置している前後対称の磁板３５がネジ山により連結され、後側の前記空きチャンバ２４の中には前後対称の隠し溝３４が連通するように設置され、前記隠し溝３４の中には回転軸３８が回転できるように連結され、前記回転軸３８には弾性を持つ収納輪３７が設置され、前記収納輪３７と前記磁板３５との間には遮光布３６が連結され、後側の前記伝動軸２７が回転して前記磁板３５を対称中心側へ移動させ、また前記遮光布３６を利用して後側の前記空きチャンバ２４を閉じる。
【００１５】
有益的には、前記照準装置９０２は、前側の前記空きチャンバ２４の下端に設置され、且つ前記伝動軸２７が回転するところを提供するスライドチャンバ４２を含み、前記スライドチャンバ４２の頂端内壁にはスライドロッド４４がスライドできるように連結され、前記スライドロッド４４の下端には副推しブロック４５が設置され、前記スライドロッド４４の上端には前記空きチャンバ２４の中に位置している下引き合わせリング４３が設置され、前記空きチャンバ２４のうち対称中心に近接している側の内壁には駆動チャンバ３９が設置され、前記伝動軸２７には前記副推しブロック４５と当接する主推しブロック４６がネジ山により連結され、前記伝動軸２７には前記駆動チャンバ３９の中に位置している主ベベルギヤ４１が設置され、前記駆動チャンバ３９の後側内壁には前後に連通している第一スライドレール３０が設置され、前記第一スライドレール３０の中には昇降ロッド３１がスライドできるように連結され、前記昇降ロッド３１には前記空きチャンバ２４の中に位置している上引き合わせリング２９が設置され、前記駆動チャンバ３９の中には前記昇降ロッド３１とネジ山により連結されたネジロッド３２が回転できるように連結され、前記ネジロッド３２の下端には前記主ベベルギヤ４１と噛み合っている副ベベルギヤ４０が設置され、前記主推しブロック４６が前記下引き合わせリング４３を推し動かして上方へ移動させることにより、前記昇降ロッド３１が下方へ移動し、これにより前記下引き合わせリング４３と前記上引き合わせリング２９とを合わせて照準リングを形成する。
【００１６】
有益的には、前記遮音装置９０３は前記固定軸１６とスプラインにより連結された連結板１４を含み、前記連結板１４のうち対称中心に近接している側には収縮溝４７が設置され、前記収縮溝４７の右端内壁の中には引きロッド４９がスライドできるように設置され、前記引きロッド４９には耳栓４８が設置され、前記凹溝１２のうち対称中心に近接している側の内壁には弧状溝５０が設置され、前記弧状溝５０の中にはスライダ５２がスライドできるように連結され、前記スライダ５２と前記連結板１４との間には抵抗バネ５１が連結され、前記連結板１４を回転させることにより、前記照準装置９０２と前記遮光装置９０１とが作動し、同時に前記耳栓４８を利用して遮音する。
【００１７】
有益的には、前記脱落防止装置９０４は、前記テンプル１１の右側に設置され、且つ左右対称の第二スライドレール１８を含み、前記第二スライドレール１８の中には上下対称の伸縮板１９がスライドできるように連結され、前記伸縮板１９の間には引っ張りバネ１７が連結され、上下端の前記伸縮板１９の間にはそれぞれチェーン２０がヒンジにより連結され、前記チェーン２０の高い自由度の回転と前記伸縮板１９の間の弾性伸縮により、眼鏡を固定できる。
【００１８】
初期状態において、連結板１４が凹溝１２の中に位置しており、下引き合わせリング４３と上引き合わせリング２９とがずらして分布されており、磁板３５が隠し溝３４の中に収納され、空きチャンバ２４の光透過性が良い。
【００１９】
装置が作動する時、前記伸縮板１９を開け、耳とチェーン２０とを当接させ、手を放した後に引っ張りバネ１７の弾性復元力により耳を挟み、弾丸を装填し終わった後、手動で抜き孔１３の中から連結板１４を凹溝１２から出るまで引き動かし、また連結板１４を百八十度反転させ、この時、スライダ５２が弧状溝５０の中でスライドし、引きロッド４９を引き動かし、耳栓４８を耳孔に差し込んで耳孔を塞ぎ、手を放した後に抵抗バネ５１の弾性復元力により頭部を挟み、連結板１４を回転させると同時に、固定軸１６により主リール１５を回転させ、主リール１５がワイヤロープ２１を利用して補助リール２６を回転させ、更に伝動軸２７を回転させ、前側の伝動軸２７はネジ山伝動により磁板３５を磁板３５の間が磁性により互いに吸引しあうまで対称中心側へ移動させ、磁板３５が遮光布３６を引き動かし、前側の空きチャンバ２４を遮り、後側の伝動軸２７はネジ山伝動により主推しブロック４６を前方へ移動させ、また副推しブロック４５とスライドロッド４４とにより下引き合わせリング４３を上方へ移動させ、同時に、主ベベルギヤ４１は噛み合いにより副ベベルギヤ４０を回転させ、更にネジロッド３２を回転させ、ネジロッド３２はネジ山伝動により昇降ロッド３１を第一スライドレール３０の中で下方へ移動させ、更に上引き合わせリング２９と下引き合わせリング４３とが当接して連結されて照準リングを形成する。
【００２０】
本発明の有益効果は：本発明は固定により、射撃する時に反動が眼鏡を落とすことを防止し、同時に、弾丸を装填する時と照準を合わせる時の異なるレンズ面の変化は照準動作に便利であり、操作が便利である。
【００２１】
以上の方式により、本分野の技術者が本発明の範囲内に作動モードにより各種な変化をすることができる。
【図１】
2020176819.tif 000003
【図２】
2020176819.tif 000004
【図３】
2020176819.tif 000005
【図４】
2020176819.tif 000006